(57)【要約】【課題】一つの駆動手段を使用して、複数の演出部材に異なる動作を行わせることにより、演出部材による多様な演出を図りつつ、パチンコ遊技機の消費電力を抑制する。【解決手段】小型演出装置２００は、モータ２０６と、回転部材２１０Ａ，２１０Ｂと、スライド部材２１２Ａ，２１２Ｂとを備える。回転部材２１０Ａは、円板２１０Ａａと、円柱部材２１０Ａｃとを有し、回転部材２１０Ｂは、円板２１０Ｂａと、円柱部材２１０Ｂｃとを有する。スライド部材２１２Ａは、劣弧状部Ｖ１ａと、直線状部Ｖ１ｂ，Ｖ１ｃとからなる溝Ｖ１を有し、スライド部材２１２Ｂは、劣弧状部Ｖ２ａと、直線状部Ｖ２ｂ，Ｖ２ｃとからなる溝Ｖ２を有する。円柱部材２１０Ａｃは溝Ｖ１内にスライド自在に配されており、円柱部材２１０Ｂｃは溝Ｖ２内にスライド自在に配されている。【選択図】図３
2012016400.tif 000002
【特許請求の範囲】
【請求項１】
遊技盤上において所定の演出動作を行う演出装置を備えるパチンコ遊技機であって、
前記演出装置は、
駆動手段と、
前記駆動手段によって同時に回転される第１及び第２の回転部材と、
ベース部材に対して直線往復運動可能に取り付けられた第１及び第２のスライド部材と、
前記第１のスライド部材に取り付けられた第１の演出部材と、
前記第２のスライド部材に取り付けられた第２の演出部材とを備え、
前記第１の回転部材は、中心軸に対して偏心した位置に設けられた第１の突出部材を有し、
前記第２の回転部材は、中心軸に対して偏心した位置に設けられた第２の突出部材を有し、
前記第１のスライド部材は、前記第１の突出部材の回転半径と同じ大きさの半径を有する劣弧状部と、当該劣弧状部の両端に位置する一対の直線状部とから構成される第１の溝を有し、
前記第２のスライド部材は、前記第２の突出部材の回転半径と同じ大きさの半径を有する劣弧状部と、当該劣弧状部の両端に位置する一対の直線状部とから構成される第２の溝を有し、
前記第１の突出部材は、前記第１の溝内にスライド自在に配されており、
前記第２の突出部材は、前記第２の溝内にスライド自在に配されていることを特徴とする、パチンコ遊技機。
【請求項２】
前記第１の突出部材と前記第２の突出部材とが互いに異なる位相となるように、前記第１の突出部材が前記第１の溝内に配置されていると共に、前記第２の突出部材が前記第２の溝内に配置されていることを特徴とする、請求項１に記載されたパチンコ遊技機。
【発明の詳細な説明】
【技術分野】
【０００１】
本発明は、パチンコ遊技機に関する。
【背景技術】
【０００２】
従来、遊技盤上において、人の頭部を象った装飾体（演出部材）を人間の自然な振る舞いに似せて動作させることにより、特徴的な演出を行うパチンコ遊技機が知られている（例えば、特許文献１を参照）。特許文献１に記載のパチンコ遊技機は、演出部材と、縦軸駆動モータと、上下動作用モータとを有する演出装置を備えている。
【０００３】
縦軸駆動モータは、演出部材を垂直軸まわりに回転運動させる。上下動作用モータは、演出部材を垂直方向に上下動させる。従って、演出部材は、縦軸駆動モータによる首振り動作と、上下動作用モータによる頷き動作と、これらの二つのモータを組み合わせた三次元的な複合動作を行うことができるようになっている。
【先行技術文献】
【特許文献】
【０００４】
【特許文献１】特開２００８−１６７８７９号公報
【発明の概要】
【発明が解決しようとする課題】
【０００５】
このように、従来のパチンコ遊技機では、一つの演出部材に対して二つのモータを使用することにより、演出部材の多様な動作によって遊技者を惹きつけ、遊技者に対する興趣の向上を図っていた。しかしながら、パチンコ遊技機の演出が、遊技者を惹きつける目的でより多様化している昨今においては、演出部材の数の増加に伴いモータの使用数も増加している。そのため、パチンコ遊技機において、消費電力の増加が懸念されている。
【０００６】
そこで、本発明は、一つの駆動手段を使用して、複数の演出部材に異なる動作を行わせることにより、演出部材による多様な演出を図りつつ消費電力を抑制することが可能なパチンコ遊技機を提供することを目的とする。
【課題を解決するための手段】
【０００７】
本発明に係るパチンコ遊技機は、遊技盤上において所定の演出動作を行う演出装置を備えるパチンコ遊技機であって、演出装置は、駆動手段と、駆動手段によって同時に回転される第１及び第２の回転部材と、ベース部材に対して直線往復運動可能に取り付けられた第１及び第２のスライド部材と、第１のスライド部材に取り付けられた第１の演出部材と、第２のスライド部材に取り付けられた第２の演出部材とを備え、第１の回転部材は、中心軸に対して偏心した位置に設けられた第１の突出部材を有し、第２の回転部材は、中心軸に対して偏心した位置に設けられた第２の突出部材を有し、第１のスライド部材は、第１の突出部材の回転半径と同じ大きさの半径を有する劣弧状部と、当該劣弧状部の両端に位置する一対の直線状部とから構成される第１の溝を有し、第２のスライド部材は、第２の突出部材の回転半径と同じ大きさの半径を有する劣弧状部と、当該劣弧状部の両端に位置する一対の直線状部とから構成される第２の溝を有し、第１の突出部材は、第１の溝内にスライド自在に配されており、第２の突出部材は、第２の溝内にスライド自在に配されていることを特徴とする。
【０００８】
本発明に係るパチンコ遊技機では、一つの駆動手段によって、第１及び第２の回転部材を回転させている。第１の回転部材が回転すると、第１の突出部材が、第１の溝内をスライドしつつ第１の回転部材の中心軸まわりに回転する。このとき、第１の突出部材が直線状部内をスライドすると、第１の突出部材の回転方向に応じて第１のスライド部材が第１の突出部材によって押されることとなる。これにより、駆動手段及び第１の回転部材の回転運動が、第１のスライド部材の直線運動に変換される。一方、第１の突出部材が劣弧状部内をスライドすると、第１の突出部材の回転半径と劣弧状部の半径とが同じ大きさであることから、第１のスライド部材は第１の突出部材によって押されることがない。このことは、第２の突出部材と第２のスライド部材との間でも同じである。従って、第１の突出部材が劣弧状部内をスライドしているときに、第２の突出部材が直線状部内をスライドすることで、第１のスライド部材が静止しているにもかかわらず、第２のスライド部材が直線往復運動することとなる。その結果、一つの駆動手段を使用して、第１のスライド部材に取り付けられた第１の演出部材と、第２のスライド部材に取り付けられた第２の演出部材とが異なる動作をすることができるようになるので、演出部材による多様な演出を図りつつ消費電力を抑制することが可能となる。
【０００９】
また、本発明に係るパチンコ遊技機において、第１の突出部材と第２の突出部材とが互いに異なる位相となるように、第１の突出部材が前記第１の溝内に配置されていると共に、第２の突出部材が第２の溝内に配置されている。
【発明の効果】
【００１０】
本発明によれば、一つの駆動手段を使用して、複数の演出部材に異なる動作を行わせることにより、演出部材による多様な演出を図りつつ消費電力を抑制することが可能なパチンコ遊技機を提供することができる。
【図面の簡単な説明】
【００１１】
【図１】図１は、本実施形態に係るパチンコ遊技機の正面図である。
【図２】図２は、演出システムの全体を示す正面図である。
【図３】図３は、小型演出装置を分解して示す、後方斜視図である。
【図４】図４は、小型演出部材の動作（第１フェーズ）の様子を説明するための、小型演出装置の概略図である。
【図５】図５は、小型演出部材の動作（第２フェーズ）の様子を説明するための、小型演出装置の概略図である。
【図６】図６は、小型演出部材の動作（第３フェーズ）の様子を説明するための、小型演出装置の概略図である。
【図７】図７は、小型演出部材の動作（第４フェーズ）の様子を説明するための、小型演出装置の概略図である。
【発明を実施するための形態】
【００１２】
本発明に係るパチンコ遊技機１の好適な実施形態について、図面を参照して説明する。なお、説明において、同一要素又は同一機能を有する要素には同一符号を用いることとし、重複する説明は省略する。
【００１３】
［パチンコ遊技機の全体構造］
パチンコ遊技機１は、図１に示されるように、筐体１０と、筐体１０に対して開閉可能に取り付けられたフロント扉１２と、筐体１０内に配置された遊技盤１４と、遊技盤１４の背後に配置された演出システム１６と、図示しない主制御基板とを備える。
【００１４】
フロント扉１２の略中央部には、ガラス板１２ａが取り付けられており、このガラス板１２ａを通して遊技盤１４の全体が視認可能となっている。フロント扉１２の下部には、遊技球を貯蔵可能な上皿１２ｂと、上皿１２ｂに貯蔵されている遊技球を遊技盤１４の上部に向けて発射するための発射ハンドル１２ｃが設けられている。遊技盤１４には、多数の遊技釘１４ａと、開口部１４ｂと、入賞口１４ｃとが設けられている。
【００１５】
演出システム１６は、図２に示されるように、大型演出装置１００と、一対の小型演出装置２００と、大型演出装置１００及び小型演出装置２００が取り付けられている支持部材３００とを有する。演出システム１６は、図１に示されるように、大型演出装置１００及び小型演出装置２００が遊技盤１４の開口部１４ｂから視認可能となるように、筐体１０内に配置されている。
【００１６】
大型演出装置１００は、ベース部材１０２と、ベース部材１０２にスライド可能に取り付けられたスライド部材１０４と、スライド部材１０４に取り付けられた大型演出部材１０６とを有する。そのため、大型演出部材１０６は、スライド部材１０４を介して、ベース部材１０２に対して往復可能に直線移動する。本実施形態において、大型演出部材１０６は、上下方向に往復移動するが、左右方向や斜め方向に大型演出部材１０６を往復運動させてもよい。
【００１７】
大型演出部材１０６の内部には、図柄が描かれた回転板１０８が回転可能に配設されている。大型演出部材１０６の内部には、図示しないＬＥＤ等の発光手段も配設されている。大型演出装置１００においては、これらの回転板１０８の回転や発光手段による発光によって、遊技者を惹きつけるための演出がなされる。
【００１８】
回転板１０８を回転させたり、発光手段を発光させるために、大型演出装置１００には、一対のフレキシブルケーブルＦＣ１，ＦＣ２の一端が接続されている。フレキシブルケーブルＦＣ１は、回転板１０８を回転させるためのものであり、フレキシブルケーブルＦＣ２は、発光手段を発光させるためのものである。フレキシブルケーブルＦＣ１，ＦＣ２は、支持部材３００に設けられたプーリやローラーに沿って延在し、支持部材３００に設けられた開口部３００ａを通って、図示しない主制御基板に他端が接続されている。
【００１９】
一対の小型演出装置２００は、大型演出装置１００の両側に配置されており、正面から見て大型演出装置１００の右側に位置する小型演出装置２００Ｒと、正面から見て大型演出装置１００の左側に位置する小型演出装置２００Ｌとからなる。小型演出装置２００Ｒの構成は、小型演出装置２００Ｌの構成とほぼ同じであるので、以下では、小型演出装置２００としてまとめて説明する。
【００２０】
［小型演出装置の詳細な構造］
図３に示されるように、小型演出装置２００は、一対のベース部材２０２，２０４と、モータ（駆動手段）２０６と、歯車部材（駆動手段）２０８と、一対の回転部材（第１及び第２の回転部材）２１０Ａ，２１０Ｂと、一対のスライド部材（第１及び第２のスライド部材）２１２Ａ，２１２Ｂと、一対の小型演出部材２１４Ａ，２１４Ｂと、光センサ２１６とを備える。
【００２１】
［ベース部材について］
ベース部材２０２とベース部材２０４との間には、歯車部材２０８と、回転部材２１０Ａ，２１０Ｂと、スライド部材２１２Ａ，２１２Ｂとが位置している。すなわち、ベース部材２０２とベース部材２０４とが組み合わされることによって、歯車部材２０８と、回転部材２１０Ａ，２１０Ｂと、スライド部材２１２Ａ，２１２Ｂとを内部に収容するベース筐体２１８が構成される。
【００２２】
ベース部材２０４には、ベース部材２０４を貫通する長孔２０４Ａａと、直線状の溝２０４Ａｂと、直線状のレール部材２０４Ａｃと、ベース部材２０４を貫通する長孔２０４Ｂａと、直線状の溝２０４Ｂｂと、直線状のレール部材２０４Ｂｃとが形成されており、これらはいずれも上下方向に沿って延在している。長孔２０４Ａａと、溝２０４Ａｂと、レール部材２０４Ａｃとは、ベース部材２０４の中央よりも片側寄り（図３において左側寄り）に配設されている。長孔２０４Ｂａと、溝２０４Ｂｂと、レール部材２０４Ｂｃとは、ベース部材２０４の中央よりも片側寄り（図３において右側寄り）に配設されている。
【００２３】
溝２０４Ａｂ，２０４Ｂｂは、ベース部材２０４の内面に形成されている。レール部材２０４Ａｃ，２０４Ｂｃは、ベース部材２０４の内面側（ベース筐体２１８の内部）に形成されている。具体的には、レール部材２０４Ａｃは、ベース部材２０４の内面に設けられた突条２０４Ａｄの先端から横方向（図３において左方向）に向けて延びている。レール部材２０４Ｂｃは、ベース部材２０４の側壁２０４Ｂｄの先端から横方向（図３において左方向）に向けて延びている。
【００２４】
［モータ及び歯車部材について］
モータ２０６は、ベース部材２０２の外面に取り付けられている。モータ２０６は、例えば、ステッピングモータやサーボモータであって、回転角度や回転方向（正回転又は逆回転）が制御可能となっている。モータ２０６の回転軸２０６ａは、ベース部材２０２に設けられた切欠き部２０２ａを通ってベース筐体２１８の内部に向けて延びており、歯車部材２０８の挿通孔２０８ａと嵌合し且つ歯車部材２０８に固定されている。そのため、モータ２０６の回転に伴い、歯車部材２０８も回転することとなる。
【００２５】
［回転部材について］
回転部材２１０Ａは、円板２１０Ａａと、歯車部材２１０Ａｂと、円柱部材２１０Ａｃ（第１の突出部材）と、突出部材２１０Ａｄとを有している。歯車部材２１０Ａｂは、その中心軸が円板２１０Ａａの中心軸とほぼ一致するように、円板２１０Ａａの一方の面に一体的に形成されている。円柱部材２１０Ａｃは、その軸が円板２１０Ａａの中心軸とずれるように、円板２１０Ａａの他方の面に一体的に形成されている。突出部材２１０Ａｄは、扇形状を呈しており、円板２１０Ａａの縁に一体的に形成されている。
【００２６】
円板２１０Ａａ及び歯車部材２１０Ａｂには、それらの中心軸に沿って延びる貫通孔（図示せず）が設けられており、その貫通孔内に金属軸２２０Ａが挿通されている。金属軸２２０Ａの一端部には、雌ネジ（図示せず）が形成されている。そのため、金属軸２２０Ａの雌ネジと雄ねじ２２２Ａとが螺合することによって、回転部材２１０Ａがベース部材２０２に取り付けられることとなる。
【００２７】
回転部材２１０Ｂは、円板２１０Ｂａと、歯車部材２１０Ｂｂと、円柱部材２１０Ｂｃ（第２の突出部材）とを有している。歯車部材２１０Ｂｂは、その中心軸が円板２１０Ｂａの中心軸とほぼ一致するように、円板２１０Ｂａの一方の面に一体的に形成されている。円柱部材２１０Ｂｃは、その軸が円板２１０Ｂａの中心軸とずれるように、円板２１０Ｂａの他方の面に一体的に形成されている。
【００２８】
円板２１０Ｂａ及び歯車部材２１０Ｂｂには、それらの中心軸に沿って延びる貫通孔（図示せず）が設けられており、その貫通孔内に金属軸２２０Ｂが挿通されている。金属軸２２０Ｂの一端部には、雌ネジ（図示せず）が形成されている。そのため、金属軸２２０Ｂの雌ネジと雄ねじ２２２Ｂとが螺合することによって、回転部材２１０Ｂがベース部材２０２に取り付けられることとなる。
【００２９】
回転部材２１０Ａ，２１０Ｂは、歯車部材２０８の両側に配置されている。回転部材２１０Ａの歯車部材２１０Ａｂと、回転部材２１０Ｂの歯車部材２１０Ｂｂとは、歯車部材２０８と歯合している。そのため、歯車部材２０８がモータ２０６によって回転されると、歯車部材２１０Ａｂ，２１０Ｂｂを介して、回転部材２１０Ａ，２１０Ｂが同時に同じ方向に回転する（図３の矢印Ｘを参照）。これにより、円柱部材２１０Ａｃが円板２１０Ａａ及び歯車部材２１０Ａｂの中心軸（回転部材２１０Ａの中心軸）に対して偏心して回転すると共に、円柱部材２１０Ｂｃが円板２１０Ｂａ及び歯車部材２１０Ｂｂの中心軸（回転部材２１０Ｂの中心軸）に対して偏心して回転する。
【００３０】
［スライド部材について］
スライド部材２１２Ａは、平板２１２Ａａと、環状壁部材２１２Ａｂと、側方壁部材２１２Ａｃ，２１２Ａｄと、下方壁部材２１２Ａｅと、突出部材２１２Ａｆと、正面突条２１２Ａｇと、一対の側方突条２１２Ａｈとを有する。環状壁部材２１２Ａｂは、平板２１２Ａａの一方の面に一体的に形成されている。そのため、環状壁部材２１２Ａｂによって囲まれる領域によって、溝Ｖ１（第１の溝）が構成される。
【００３１】
溝Ｖ１内には、回転部材２１０Ａの円柱部材２１０Ａｃが挿入されており、回転部材２１０Ａが回転するのに従って円柱部材２１０Ａｃが溝Ｖ１内を移動する。すなわち、円柱部材２１０Ａｃは、溝Ｖ１内にスライド自在に配されている。溝Ｖ１は、図４に示されるように、劣弧状部Ｖ１ａと、劣弧状部Ｖ１ａの両端に位置する一対の直線状部Ｖ１ｂ，Ｖ１ｃとから構成されている。劣弧状部Ｖ１ａは、円柱部材２１０Ａｃの回転半径（円柱部材２１０Ａｃと、回転部材２１０Ａの中心軸との直線距離）とほぼ同じ大きさの半径を有している。
【００３２】
図３を再び参照して、側方壁部材２１２Ａｃ，２１２Ａｄと、下方壁部材２１２Ａｅとは、平板２１２Ａａの一方の面に一体的に形成されている。側方壁部材２１２Ａｃの上端は、環状壁部材２１２Ａｂの側部と一体化されており、側方壁部材２１２Ａｃの下端は、下方壁部材２１２Ａｅの一端と一体化されている。側方壁部材２１２Ａｄの上端は、環状壁部材２１２Ａｂの側部と一体化されており、側方壁部材２１２Ａｄの下端は、下方壁部材２１２Ａｅの他端と一体化されている。
【００３３】
突出部材２１２Ａｆ及び正面突条２１２Ａｇは、平板２１２Ａａの他方の面に一体的に形成されている。突出部材２１２Ａｆは、側方壁部材２１２Ａｃ寄りに配置されており、先端部に雌ネジ（図示せず）が形成されている。正面突条２１２Ａｇは、矩形状の平板であり、平板２１２Ａａの中央部において上下方向に延在している。スライド部材２１２Ａがベース部材２０４に組み合わされた状態において、正面突条２１２Ａｇは、ベース部材２０４の溝２０４Ａｂ内に挿入される。そのため、正面突条２１２Ａｇが溝２０４Ａｂ内をスライドすることで、スライド部材２１２Ａが溝２０４Ａｂに沿ってスライドする。
【００３４】
一対の側方突条２１２Ａｈは、側方壁部材２１２Ａｄの外面に一体的に形成されている。一対の側方突条２１２Ａｈは、共に矩形状の平板であり、互いに所定の間隔を保って上下方向に延在している。スライド部材２１２Ａがベース部材２０４に組み合わされた状態において、一対の側方突条２１２Ａｈは、ベース部材２０４のレール部材２０４Ａｃを間に置くようにレール部材２０４Ａｃと組み合わされる。そのため、一対の側方突条２１２Ａｈがレール部材２０４Ａｃに係合しつつスライドすることで、スライド部材２１２Ａがレール部材２０４Ａｃに沿ってスライドする。
【００３５】
スライド部材２１２Ｂは、平板２１２Ｂａと、環状壁部材２１２Ｂｂと、側方壁部材２１２Ｂｃ，２１２Ｂｄと、下方壁部材２１２Ｂｅと、突出部材２１２Ｂｆと、正面突条２１２Ｂｇと、一対の側方突条２１２Ｂｈとを有する。環状壁部材２１２Ｂｂは、平板２１２Ｂａの一方の面に一体的に形成されている。そのため、環状壁部材２１２Ｂｂによって囲まれる領域によって、溝Ｖ２（第２の溝）が構成される。
【００３６】
溝Ｖ２内には、回転部材２１０Ｂの円柱部材２１０Ｂｃが挿入されており、回転部材２１０Ｂが回転するのに従って円柱部材２１０Ｂｃが溝Ｖ２内を移動する。すなわち、円柱部材２１０Ｂｃは、溝Ｖ２内にスライド自在に配されている。溝Ｖ２は、図４に示されるように、劣弧状部Ｖ２ａと、劣弧状部Ｖ２ａの両端に位置する一対の直線状部Ｖ２ｂ，Ｖ２ｃとから構成されている。劣弧状部Ｖ２ａは、円柱部材２１０Ｂｃの回転半径（円柱部材２１０Ｂｃと、回転部材２１０Ｂの中心軸との直線距離）とほぼ同じ大きさの半径を有している。
【００３７】
図３を再び参照して、側方壁部材２１２Ｂｃ，２１２Ｂｄと、下方壁部材２１２Ｂｅとは、平板２１２Ｂａの一方の面に一体的に形成されている。側方壁部材２１２Ｂｃの上端は、環状壁部材２１２Ｂｂの側部と一体化されており、側方壁部材２１２Ｂｃの下端は、下方壁部材２１２Ｂｅの一端と一体化されている。側方壁部材２１２Ｂｄの上端は、環状壁部材２１２Ｂｂの側部と一体化されており、側方壁部材２１２Ｂｄの下端は、下方壁部材２１２Ｂｅの他端と一体化されている。
【００３８】
突出部材２１２Ｂｆ及び正面突条２１２Ｂｇは、平板２１２Ｂａの他方の面に一体的に形成されている。突出部材２１２Ｂｆは、側方壁部材２１２Ｂｃ寄りに配置されており、先端部に雌ネジ（図示せず）が形成されている。正面突条２１２Ｂｇは、矩形状の平板であり、平板２１２Ｂａの中央部において上下方向に延在している。スライド部材２１２Ｂがベース部材２０４に組み合わされた状態において、正面突条２１２Ｂｇは、ベース部材２０４の溝２０４Ｂｂ内に挿入される。そのため、正面突条２１２Ｂｇが溝２０４Ｂｂ内をスライドすることで、スライド部材２１２Ｂが溝２０４Ｂｂに沿ってスライドする。
【００３９】
一対の側方突条２１２Ｂｈは、側方壁部材２１２Ｂｄの外面に一体的に形成されている。一対の側方突条２１２Ｂｈは、共に矩形状の平板であり、互いに所定の間隔を保って上下方向に延在している。スライド部材２１２Ｂがベース部材２０４に組み合わされた状態において、一対の側方突条２１２Ｂｈは、ベース部材２０４のレール部材２０４Ｂｃを間に置くようにレール部材２０４Ｂｃと組み合わされる。そのため、一対の側方突条２１２Ｂｈがレール部材２０４Ｂｃに係合しつつスライドすることで、スライド部材２１２Ｂがレール部材２０４Ｂｃに沿ってスライドする。
【００４０】
［小型演出部材について］
小型演出部材２１４Ａは、演出用円板２１４Ａａと、腕部材２１４Ａｂとを有する。演出用円板２１４Ａａの正面には、遊技者を惹きつけるための図柄が描かれている。腕部材２１４Ａｂは、演出用円板２１４Ａａを支持するためのものであり、腕部材２１４Ａｂの下端部が演出用円板２１４Ａａの裏面に取り付けられている。腕部材２１４Ａｂの上端部には、ピン２１４Ａｄと、円筒部２１４Ａｅとを有する突出部材２１４Ａｃが、腕部材２１４Ａｂと一体的に形成されている。
【００４１】
ピン２１４Ａｄは、腕部材２１４Ａｂがスライド部材２１２Ａに組み合わされた状態において、スライド部材２１２Ａの平板２１２Ａａに形成された孔（図示せず）に挿通される。
【００４２】
円筒部２１４Ａｅは、腕部材２１４Ａｂがスライド部材２１２Ａに組み合わされた状態において、スライド部材２１２Ａの突出部材２１２Ａｆと嵌合される。すなわち、ピン２１４Ａｄ及び円筒部２１４Ａｅによって、小型演出部材２１４Ａがスライド部材２１２Ａに対して位置決めされる。また、雄ねじ２２４Ａが、腕部材２１４Ａｂの円筒部２１４Ａｅを介して、スライド部材２１２Ａの突出部材２１２Ａｆの先端における雌ネジと螺合することによって、小型演出部材２１４Ａがスライド部材２１２Ａに取り付けられることとなる。
【００４３】
突出部材２１４Ａｃの幅は、ベース部材２０４の長孔２０４Ａａの幅とほぼ同じ大きさとなっている。ここで、突出部材２１４Ａｃが長孔２０４Ａａ内に位置するように、小型演出部材２１４Ａがスライド部材２１２Ａに取り付けられる。そのため、小型演出部材２１４Ａ及びスライド部材２１２Ａは、ベース部材２０４の長孔２０４Ａａ内に位置する突出部材２１４Ａｃを介して、ベース部材２０４に保持される。また、突出部材２１４Ａｃが長孔２０４Ａａ内においてスライドすることで、スライド部材２１２Ａが長孔２０４Ａａに沿ってスライドする。
【００４４】
小型演出部材２１４Ｂは、演出用円板２１４Ｂａと、腕部材２１４Ｂｂとを有する。演出用円板２１４Ｂａの正面には、遊技者を惹きつけるための図柄が描かれている。腕部材２１４Ｂｂは、演出用円板２１４Ｂａを支持するためのものであり、腕部材２１４Ｂｂの下端部が演出用円板２１４Ｂａの裏面に取り付けられている。腕部材２１４Ｂｂの上端部には、ピン２１４Ｂｄと、円筒部２１４Ｂｅとを有する突出部材２１４Ｂｃが、腕部材２１４Ｂｂと一体的に形成されている。
【００４５】
ピン２１４Ｂｄは、腕部材２１４Ｂｂがスライド部材２１２Ｂに組み合わされた状態において、スライド部材２１２Ｂの平板２１２Ｂａに形成された孔（図示せず）に挿通される。
【００４６】
円筒部２１４Ｂｅは、腕部材２１４Ｂｂがスライド部材２１２Ｂに組み合わされた状態において、スライド部材２１２Ｂの突出部材２１２Ｂｆと嵌合される。すなわち、ピン２１４Ｂｄ及び円筒部２１４Ｂｅによって、小型演出部材２１４Ｂがスライド部材２１２Ｂに対して位置決めされる。また、雄ねじ２２４Ｂが、腕部材２１４Ｂｂの円筒部２１４Ｂｅを介して、スライド部材２１２Ｂの突出部材２１２Ｂｆの先端における雌ネジと螺合することによって、小型演出部材２１４Ｂがスライド部材２１２Ｂに取り付けられることとなる。
【００４７】
突出部材２１４Ｂｃの幅は、ベース部材２０４の長孔２０４Ｂａの幅とほぼ同じ大きさとなっている。ここで、突出部材２１４Ｂｃが長孔２０４Ｂａ内に位置するように、小型演出部材２１４Ｂがスライド部材２１２Ｂに取り付けられる。そのため、小型演出部材２１４Ｂ及びスライド部材２１２Ｂは、ベース部材２０４の長孔２０４Ｂａ内に位置する突出部材２１４Ｂｃを介して、ベース部材２０４に保持される。また、突出部材２１４Ｂｃが長孔２０４Ｂａ内においてスライドすることで、スライド部材２１２Ｂが長孔２０４Ｂａに沿ってスライドする。
【００４８】
［光センサについて］
光センサ２１６は、ベース部材２０２の側部に取り付けられている。光センサ２１６は、コ字形状を呈している。光センサ２１６の一方の端部には、発光部（図示せず）が設けられている。光センサ２１６の他方の端部には、受光部（図示せず）が設けられている。光センサ２１６において、発光部と受光部とは、互いに向かい合うように配置されている。そのため、受光部は、発光部からの光の照射を受光できるようになっている。
【００４９】
回転部材２１０Ａがベース部材２０２に取り付けられている状態において、回転部材２１０Ａの縁に形成されている突出部材２１０Ａｄは、光センサ２１６の発光部と受光部との間を通過可能とされている。そのため、突出部材２１０Ａｄが発光部と受光部との間を通過するとき、発光部からの光の照射が突出部材２１０Ａｄによって遮断される。このとき、受光部は、発光部からの光が遮断されたことを検知し、回転部材２１０Ａの回転回数や回転角度などを検出することができる。
【００５０】
［小型演出装置の動作（初期状態）］
続いて、図４〜図７を参照して、小型演出装置２００の動作について説明する。まず、図４に示される初期状態において、円柱部材２１０Ａｃは、自身の回転軌道Ｌ１の頂点（この状態を、「回転角度が０°」であるとする。）に位置しており、劣弧状部Ｖ１ａの頂部に位置している。一方、円柱部材２１０Ｂｃは、円柱部材２１０Ａｃよりも回転角度が約−７０°の地点に位置しており、直線状部Ｖ２ｂ内に位置している。すなわち、円柱部材２１０Ａｃと円柱部材２１０Ｂｃとは、互いに異なる位相となるように、各溝Ｖ１，Ｖ２内に配置されている。
【００５１】
［小型演出装置の動作（第１フェーズ）］
まず、円柱部材２１０Ａｃが０°（初期状態）から９０°まで回転する場合（第１フェーズ）について説明する。モータ２０６が回転を開始し、これに伴い歯車部材２０８が図３の矢印Ｘ方向に回転すると、歯車部材２０８と歯合している歯車部材２１０Ａｂを有する回転部材２１０Ａと、歯車部材２０８と歯合している歯車部材２１０Ｂｂを有する回転部材２１０Ｂとが共に、図３の矢印Ｘ方向に回転する。これと同時に、円柱部材２１０Ａｃが回転部材２１０Ａの中心軸に対して偏心して回転すると共に、円柱部材２１０Ｂｃが回転部材２１０Ｂの中心軸に対して偏心して回転する。
【００５２】
円柱部材２１０Ａｃは、初期状態において劣弧状部Ｖ１ａ内に位置している。また、劣弧状部Ｖ１ａは、円柱部材２１０Ａｃの回転半径とほぼ同じ大きさの半径を有している。そのため、円柱部材２１０Ａｃが初期状態から回転を開始すると、円柱部材２１０Ａｃが直線状部Ｖ１ｃに到達するまで、環状壁部材２１２Ａｂを押すことがない。従って、円柱部材２１０Ａｃが劣弧状部Ｖ１ａ内を移動する間、スライド部材２１２Ａは上死点において静止している。
【００５３】
なお、円柱部材２１０Ａｃが劣弧状部Ｖ１ａ内を移動しているとき（スライド部材２１２Ａが上死点に位置しているとき）、劣弧状部Ｖ１ａの中心と回転部材２１０Ａの中心軸とは略一致する。また、このとき、回転部材２１０Ａの中心軸方向から見たときに、劣弧状部Ｖ１ａの外形が円柱部材２１０Ａｃの回転軌道Ｌ１の一部と一致しており、劣弧状部Ｖ１ａは、回転部材２１０Ａの中心軸よりも上方（上死点側）に位置している。
【００５４】
その後、円柱部材２１０Ａｃは、直線状部Ｖ１ｃに到達し、直線状部Ｖ１ｃを構成する環状壁部材２１２Ａｂの下部を押す。そのため、スライド部材２１２Ａは、円柱部材２１０Ａｃによって、長孔２０４Ａａ、溝２０４Ａｂ及びレール部材２０４Ａｃに沿って下方に押し出される。
【００５５】
一方、円柱部材２１０Ｂｃは、初期状態において直線状部Ｖ２ｂ内に位置している。そのため、円柱部材２１０Ｂｃが劣弧状部Ｖ２ａに到達するまで、直線状部Ｖ２ｂを構成する環状壁部材２１２Ｂｂの上部を押す。従って、スライド部材２１２Ｂは、円柱部材２１０Ｂｃによって、長孔２０４Ｂａ、溝２０４Ｂｂ及びレール部材２０４Ｂｃに沿って上方に押し出される。
【００５６】
その後、円柱部材２１０Ｂｃは、劣弧状部Ｖ２ａに到達し、劣弧状部Ｖ２ａ内を移動する。そのため、スライド部材２１２Ｂは、上死点において静止することとなる。
【００５７】
なお、円柱部材２１０Ｂｃが劣弧状部Ｖ２ａ内を移動しているとき（スライド部材２１２Ｂが上死点に位置しているとき）、劣弧状部Ｖ２ａの中心と回転部材２１０Ｂの中心軸とは略一致する。また、このとき、回転部材２１０Ｂの中心軸方向から見たときに、劣弧状部Ｖ２ａの外形が円柱部材２１０Ｂｃの回転軌道Ｌ２の一部と一致しており、劣弧状部Ｖ２ａは、回転部材２１０Ｂの中心軸よりも上方（上死点側）に位置している。
【００５８】
このように、第１フェーズにおいては、スライド部材２１２Ａ，２１２Ｂが共に上死点において静止する場合があるものの、スライド部材２１２Ａは、静止状態から下方にスライドし、スライド部材２１２Ｂは、上方にスライドした後に静止状態となる（図５を参照）。
【００５９】
［小型演出装置の動作（第２フェーズ）］
続いて、円柱部材２１０Ａｃが９０°から１８０°まで回転する場合（第２フェーズ）について説明する。第２フェーズの開始時において、円柱部材２１０Ａｃは、直線状部Ｖ１ｃ内に位置している。そのため、円柱部材２１０Ａｃは、直線状部Ｖ１ｃを構成する環状壁部材２１２Ａｂの下部をさらに押す。従って、スライド部材２１２Ａは、円柱部材２１０Ａｃによって、長孔２０４Ａａ、溝２０４Ａｂ及びレール部材２０４Ａｃに沿ってさらに下方に押し出される。
【００６０】
その後、円柱部材２１０Ａｃが１３０°程度まで回転すると、円柱部材２１０Ａｃは、再び劣弧状部Ｖ１ａに到達し、劣弧状部Ｖ１ａ内を移動する。このとき、スライド部材２１２Ａが上死点に位置している場合と異なり、回転部材２１０Ａの中心軸方向から見たときに、劣弧状部Ｖ１ａの外形が、円柱部材２１０Ａｃの回転軌道Ｌ１の一部と一致しない。そのため、円柱部材２１０Ａｃは、劣弧状部Ｖ１ａを構成する環状壁部材２１２Ａｂの下部を押す。従って、スライド部材２１２Ａは、円柱部材２１０Ａｃによって、長孔２０４Ａａ、溝２０４Ａｂ及びレール部材２０４Ａｃに沿ってより一層下方に押し出される。なお、円柱部材２１０Ａｃの回転角度が１８０°となったとき、スライド部材２１２Ａは下死点に到達する。
【００６１】
一方、第２フェーズの開始時において、円柱部材２１０Ｂｃは、劣弧状部Ｖ１ａ内に位置している。そのため、円柱部材２１０Ｂｃは、円柱部材２１０Ｂｃが直線状部Ｖ２ｃに到達するまで、環状壁部材２１２Ｂｂを押すことがない。従って、円柱部材２１０Ｂｃが劣弧状部Ｖ２ａ内を移動する間、スライド部材２１２Ｂは上死点において静止している。
【００６２】
その後、円柱部材２１０Ｂｃは、直線状部Ｖ２ｃに到達し、直線状部Ｖ２ｃを構成する環状壁部材２１２Ｂｂの下部を押す。そのため、スライド部材２１２Ｂは、円柱部材２１０Ｂｃによって、長孔２０４Ｂａ、溝２０４Ｂｂ及びレール部材２０４Ｂｃに沿って下方に押し出される。
【００６３】
このように、第２フェーズにおいては、スライド部材２１２Ａは、下死点までスライドし、スライド部材２１２Ｂは、静止状態から下方にスライドする（図６を参照）。
【００６４】
［小型演出装置の動作（第３フェーズ）］
続いて、円柱部材２１０Ａｃが１８０°から２７０°まで回転する場合（第３フェーズ）について説明する。第３フェーズの開始時において、円柱部材２１０Ａｃは、劣弧状部Ｖ１ａ内に位置しているものの、スライド部材２１２Ａが下死点に位置しているので、回転部材２１０Ａの中心軸方向から見たときに、劣弧状部Ｖ１ａの外形が、円柱部材２１０Ａｃの回転軌道Ｌ１の一部と一致しない。そのため、円柱部材２１０Ａｃは、劣弧状部Ｖ１ａを構成する環状壁部材２１２Ａｂの上部を押す。従って、スライド部材２１２Ａは、円柱部材２１０Ａｃによって、長孔２０４Ａａ、溝２０４Ａｂ及びレール部材２０４Ａｃに沿って上方に押し出される。
【００６５】
その後、円柱部材２１０Ａｃが２２０°程度まで回転すると、円柱部材２１０Ａｃは、直線状部Ｖ１ｂに到達し、直線状部Ｖ１ｂを構成する環状壁部材２１２Ａｂの上部を押す。そのため、スライド部材２１２Ａは、円柱部材２１０Ａｃによって、長孔２０４Ａａ、溝２０４Ａｂ及びレール部材２０４Ａｃに沿ってさらに上方に押し出される。
【００６６】
一方、第３フェーズの開始時において、円柱部材２１０Ｂｃは、直線状部Ｖ２ｃ内に位置している。そのため、円柱部材２１０Ｂｃは、直線状部Ｖ２ｃを構成する環状壁部材２１２Ｂｂの下部をさらに押す。従って、スライド部材２１２Ｂは、円柱部材２１０Ｂｃによって、長孔２０４Ｂａ、溝２０４Ｂｂ及びレール部材２０４Ｂｃに沿ってさらに下方に押し出される。
【００６７】
その後、円柱部材２１０Ｂｃが１３０°程度まで回転すると、円柱部材２１０Ｂｃは、再び劣弧状部Ｖ２ａに到達し、劣弧状部Ｖ２ａ内を移動する。このとき、スライド部材２１２Ｂが上死点に位置している場合と異なり、回転部材２１０Ｂの中心軸方向から見たときに、劣弧状部Ｖ２ａの外形が、円柱部材２１０Ｂｃの回転軌道Ｌ２の一部と一致しない。そのため、円柱部材２１０Ｂｃは、劣弧状部Ｖ２ａを構成する環状壁部材２１２Ｂｂの下部を押す。従って、スライド部材２１２Ｂは、円柱部材２１０Ｂｃによって、長孔２０４Ｂａ、溝２０４Ｂｂ及びレール部材２０４Ｂｃに沿ってより一層下方に押し出される。なお、円柱部材２１０Ｂｃの回転角度が１８０°となったとき、スライド部材２１２Ｂは下死点に到達する。
【００６８】
さらに、円柱部材２１０Ｂｃが１８０°を超えて回転すると、円柱部材２１０Ｂｃは、劣弧状部Ｖ２ａを構成する環状壁部材２１２Ｂｂの上部を押す。従って、スライド部材２１２Ｂは、円柱部材２１０Ｂｃによって、長孔２０４Ｂａ、溝２０４Ｂｂ及びレール部材２０４Ｂｃに沿って上方に押し出される。
【００６９】
このように、第３フェーズにおいては、スライド部材２１２Ａは、下死点から上方にスライドし、スライド部材２１２Ｂは、下方にスライドして下死点に到達した後、上方にスライドする（図７を参照）。
【００７０】
［小型演出装置の動作（第４フェーズ）］
続いて、円柱部材２１０Ａｃが２７０°から３６０°（０°：初期位置）まで回転する場合（第４フェーズ）について説明する。第４フェーズの開始時において、円柱部材２１０Ａｃは、直線状部Ｖ１ｂ内に位置している。そのため、円柱部材２１０Ａｃが劣弧状部Ｖ１ａに到達するまで、直線状部Ｖ１ｂを構成する環状壁部材２１２Ａｂの上部を押す。従って、スライド部材２１２Ａは、円柱部材２１０Ａｃによって、長孔２０４Ａａ、溝２０４Ａｂ及びレール部材２０４Ａｃに沿ってより一層上方に押し出される。
【００７１】
その後、円柱部材２１０Ａｃは、劣弧状部Ｖ１ａに到達し、劣弧状部Ｖ１ａ内を移動する。そのため、スライド部材２１２Ａは、上死点において静止することとなる。
【００７２】
一方、第４フェーズの開始時において、円柱部材２１０Ｂｃは、劣弧状部Ｖ２ａ内に位置しているものの、スライド部材２１２Ｂが下死点側に位置しているので、回転部材２１０Ｂの中心軸方向から見たときに、劣弧状部Ｖ２ａの外形が、円柱部材２１０Ｂｃの回転軌道Ｌ２の一部と一致しない。そのため、円柱部材２１０Ｂｃは、劣弧状部Ｖ２ａを構成する環状壁部材２１２Ｂｂの上部を押す。従って、スライド部材２１２Ｂは、円柱部材２１０Ｂｃによって、長孔２０４Ｂａ、溝２０４Ｂｂ及びレール部材２０４Ｂｃに沿って上方に押し出される。
【００７３】
その後、円柱部材２１０Ｂｃが２２０°程度まで回転すると、円柱部材２１０Ｂｃは、直線状部Ｖ２ｂに再び到達し、直線状部Ｖ２ｂを構成する環状壁部材２１２Ｂｂの上部を押す。そのため、スライド部材２１２Ｂは、円柱部材２１０Ｂｃによって、長孔２０４Ｂａ、溝２０４Ｂｂ及びレール部材２０４Ｂｃに沿ってさらに上方に押し出される。
【００７４】
このように、第４フェーズにおいては、スライド部材２１２Ａは、上死点までスライドし、スライド部材２１２Ｂは、上方にスライドする（図４を参照）。
【００７５】
［パチンコ遊技機の作用］
以上のような本実施形態においては、一つのモータ２０６のみによって、２つの回転部材２１０Ａ，２１０Ｂを回転させている。回転部材２１０Ａが回転すると、円柱部材２１０Ａｃが、溝Ｖ１内をスライドしつつ回転部材２１０Ａの中心軸まわりに回転する。このとき、円柱部材２１０Ａｃが溝Ｖ１の直線状部Ｖ１ｂ，Ｖ１ｃ内をスライドすると、円柱部材２１０Ａｃの回転方向に応じて、スライド部材２１２Ａが円柱部材２１０Ａｃによって押されることとなる。これにより、モータ２０６及び回転部材２１０Ａの回転運動が、スライド部材２１２Ａの直線運動に変換される。一方、円柱部材２１０Ａｃが劣弧状部Ｖ１ａ内をスライドすると、円柱部材２１０Ａｃの回転半径と劣弧状部Ｖ１ａの半径とが同じ大きさであることから、スライド部材２１２Ａは円柱部材２１０Ａｃによって押されることがない。このことは、円柱部材２１０Ｂｃとスライド部材２１２Ｂとの間でも同じである。従って、円柱部材２１０Ａｃが劣弧状部Ｖ１ａ内をスライドしているときに、円柱部材２１０Ｂｃが直線状部Ｖ２ｂ，Ｖ２ｃ内をスライドする場合には、スライド部材２１２Ａが静止しているにもかかわらず、スライド部材２１２Ｂがベース部材２０４に対して直線往復運動することとなる。同様に、円柱部材２１０Ｂｃが劣弧状部Ｖ２ａ内をスライドしているときに、円柱部材２１０Ａｃが直線状部Ｖ１ｂ，Ｖ１ｃ内をスライドする場合には、スライド部材２１２Ｂが静止しているにもかかわらず、スライド部材２１２Ａが直線往復運動することとなる。その結果、一つのモータ２０６のみを使用して、スライド部材２１２Ａに取り付けられた小型演出部材２１４Ａと、スライド部材２１２Ｂに取り付けられた小型演出部材２１４Ｂとが異なる動作をすることができるようになるので、小型演出部材２１４Ａ，２１４Ｂによる多様な演出を図りつつ消費電力を抑制することが可能となる。
【００７６】
［他の実施形態］
以上、本発明の好適な実施形態について詳細に説明したが、本発明は上記した実施形態に限定されるものではない。例えば、本実施形態においては、溝Ｖ１，Ｖ２が同じ形状であったが、溝Ｖ１，Ｖ２が互いに異なる形状であってもよい。
【００７７】
また、本実施形態においては、溝Ｖ１，Ｖ２の形状がスライド部材２１２Ａ，２１２Ｂの移動方向に対して線対称であったが、劣弧状部Ｖ１ａ，Ｖ２ａと直線状部Ｖ１ｂ，Ｖ１ｃ，Ｖ２ｂ，Ｖ２ｃとを有するものであれば、溝Ｖ１，Ｖ２の形状がスライド部材２１２Ａ，２１２Ｂの移動方向に対して線対称となっていなくてもよい。
【００７８】
また、本実施形態においては、スライド部材２１２Ａ，２１２Ｂが並進移動（互いに同一方向に平行運動）するように小型演出装置２００が構成されているが、スライド部材２１２Ａ，２１２Ｂが並進移動以外の動きをするように小型演出装置２００を構成してもよい。具体的には、スライド部材２１２Ａ，２１２Ｂがハ字状に移動するなど、互いに異なる方向に移動するように、小型演出装置２００を構成してもよい。
【００７９】
また、本実施形態においては、円柱部材２１０Ａｃと円柱部材２１０Ｂｃとが互いに異なる位相となるように、それぞれ溝Ｖ１，Ｖ２内に配されていたが、溝Ｖ１の形状と溝Ｖ２の形状とが互いに異なるものであれば、円柱部材２１０Ａｃと円柱部材２１０Ｂｃとが共に同じ位相となっていてもよい。この場合、溝Ｖ１の形状と溝Ｖ２の形状とが異なることに起因して、小型演出部材２１４Ａ，２１４Ｂが互いに異なる動作をすることとなるためである。
【符号の説明】
【００８０】
１…パチンコ遊技機、１４…遊技盤、１６…演出システム、２００（２００Ｒ，２００Ｌ）…小型演出装置、２０２，２０４…ベース部材、２０６…モータ（駆動手段）、２０８…歯車部材（駆動手段）、２１０Ａ…回転部材（第１の回転部材）、２１０Ａｃ…円柱部材（第１の突出部材）、２１０Ｂ…回転部材（第２の回転部材）、２１０Ｂｃ…円柱部材（第２の突出部材）、２１２Ａ…スライド部材（第１のスライド部材）、２１２Ｂ…スライド部材（第２のスライド部材）、２１４Ａ…小型演出部材（第１の演出部材）、２１４Ｂ…小型演出部材（第２の演出部材）、Ｖ１…溝（第１の溝）、Ｖ２…溝（第２の溝）。
【図１】
2012016400.tif 000003
【図２】
2012016400.tif 000004
【図３】
2012016400.tif 000005
【図４】
2012016400.tif 000006
【図５】
2012016400.tif 000007
【図６】
2012016400.tif 000008
【図７】
2012016400.tif 000009